(57)【要約】【課題】被撮影者に不快感を与えずに防犯効果を得ることのできる防犯映像管理システムを提供する。【解決手段】防犯を必要とする場所、例えば乗りかご１ａに防犯カメラ２を設置し、その映像情報を映像記録装置３に記録すると共に表示装置４に表示する。この場合、防犯カメラ２からリアルタイムで得られた映像情報を表示するのではなく、映像記録装置３に所定時間前に記録された映像情報を表示装置４に表示する。これにより、被撮影者に不快感を与えずに防犯効果を得ることができる。【選択図】      図１
2006148799.tif 000002
【特許請求の範囲】
【請求項１】
防犯を必要とする場所に設置された防犯カメラと、
この防犯カメラによって撮影された映像情報を記録する映像記録装置と、
所定の場所に設置された表示装置と、
上記防犯カメラの撮影中に上記映像記録装置に所定時間前に記録された映像情報を読み出して上記表示装置に表示する表示制御手段と
を具備したことを特徴とする防犯映像管理システム。
【請求項２】
上記表示装置は、上記防犯カメラの設置場所とは異なる場所に設置されていることを特徴とする請求項１記載の防犯映像管理システム。
【請求項３】
上記映像記録装置は、上記防犯カメラによって撮影された映像情報をその撮影日時と共に記録する記録領域を有し、
上記表示制御手段は、上記記録領域から所定時間前の映像情報をその撮影日時と共に読み出して上記表示装置に表示することを特徴とする請求項１または２記載の防犯映像管理システム。
【請求項４】
上記表示制御手段は、予め設定されたスケジュール情報に従って上記記録領域から読み出された所定時間前の映像情報または上記防犯カメラから得られる最新の映像情報を上記表示装置に表示することを特徴とする請求項１または２記載の防犯映像管理システム。
【請求項５】
上記映像記録装置は、上記防犯カメラによって撮影された映像情報を記録する第１の記録領域と、上記映像情報とは別の表示情報を記録する第２の記録領域とを有し、
上記表示制御手段は、予め設定されたスケジュール情報に従って上記第１の記録領域から読み出された所定時間前の映像情報または上記第２の記録領域から読み出された表示情報を上記表示装置に表示することを特徴とする請求項１または２記載の防犯映像管理システム。
【請求項６】
上記表示情報には、予め提供された広告情報が含まれることを特徴とする請求項５記載の防犯映像管理システム。
【請求項７】
上記表示情報には、予め提供されたメッセージ情報が含まれることを特徴とする請求項５記載の防犯映像管理システム。
【請求項８】
上記映像記録装置に接続された送受信手段と、
この送受信手段を介して上記映像記録装置に記録された映像情報を取り出す映像取得手段を備えた携帯端末と
をさらに具備したことを特徴とする請求項１または２記載の防犯映像管理システム。
【請求項９】
上記送受信手段は、上記防止カメラ、上記映像記録装置、上記表示装置のうちの少なくとも１つに設置されていることを特徴とする請求項８記載の防犯映像管理システム。
【請求項１０】
上記携帯端末は、上記送受信手段を介して上記映像記録装置の動作条件を設定する動作条件設定手段を備えたことを特徴とする請求項８記載の防犯映像管理システム。
【請求項１１】
上記携帯端末は、上記送受信手段を介して映像情報とは別の表示情報を上記映像記録装置に提供する情報提供手段を備えたことを特徴とする請求項８記載の防犯映像管理システム。
【発明の詳細な説明】
【技術分野】
【０００１】
本発明は、防犯を必要とする場所、例えばエレベータの乗りかご内等に利用される防犯映像管理システムに関する。
【背景技術】
【０００２】
従来、エレベータの乗りかご内の犯罪を防止するために、かご内の適宜な箇所に防犯カメラを設置すると共に、乗りかごの上部にハードディスクレコーダなどの映像記録装置を設置しておき、防犯カメラで撮影した乗りかご内の映像情報を映像記録装置に記録、保存することが行われている。
【０００３】
この場合、犯罪の抑止効果を高めるために、防犯カメラによって撮影された映像を表示するための表示装置を防犯カメラの設置場所つまり乗りかご内に設置する方法が一般的に取られている（例えば、特許文献１参照）。
【特許文献１】特開平１１−０１６０６７号公報
【発明の開示】
【発明が解決しようとする課題】
【０００４】
上述したように、防犯カメラの設置場所に表示装置を設置し、そこに防犯カメラで撮影した映像を表示する構成とすれば、カメラ監視中であることを乗りかご内の乗客に知らしめることができ、防犯効果を期待できる。しかしながら、その一方で乗りかご内の乗客の様子がリアルタイムでその場所に映し出されるため、被撮影者である乗客に不快感を与えてしまう問題がある。
【０００５】
本発明は上記のような点に鑑みなされたもので、被撮影者に不快感を与えずに防犯効果を得ることのできる防犯映像管理システムを提供することを目的とする。
【課題を解決するための手段】
【０００６】
本発明の請求項１に係る防犯映像管理システムは、防犯を必要とする場所に設置された防犯カメラと、この防犯カメラによって撮影された映像情報を記録する映像記録装置と、所定の場所に設置された表示装置と、上記防犯カメラの撮影中に上記映像記録装置に所定時間前に記録された映像情報を読み出して上記表示装置に表示する表示制御手段とを具備して構成される。
【０００７】
このような構成によれば、防犯を必要とする場所に防犯カメラを設置し、その映像情報を所定の場所に設置された表示装置に表示する場合に、防犯カメラからリアルタイムで得られた映像情報を表示するのではなく、映像記録装置に所定時間前に記録された映像情報を表示することで、被撮影者に不快感を与えずに防犯効果を得ることができる。
【０００８】
また、本発明の請求項２は、上記請求項１記載の防犯映像管理システムにおいて、上記表示装置は、上記防犯カメラの設置場所とは異なる場所に設置されていることを特徴とする。
【０００９】
このような構成によれば、防犯カメラの設置場所とは異なる場所に設置された表示装置に映像情報が表示されるので、被撮影者の不快感をさらに軽減することができる。
【００１０】
また、本発明の請求項３は、上記請求項１または２記載の防犯映像管理システムにおいて、上記映像記録装置は、上記防犯カメラによって撮影された映像情報をその撮影日時と共に記録する記録領域を有し、上記表示制御手段は、上記記録領域から所定時間前の映像情報をその撮影日時と共に読み出して上記表示装置に表示することを特徴とする。
【００１１】
このような構成によれば、映像情報がその撮影日時と共に表示装置に表示されるので、当該映像情報が実際に記録済みの映像情報であることを撮影日時によって知らしめることができる。
【００１２】
また、本発明の請求項４は、上記請求項１または２記載の防犯映像管理システムにおいて、上記表示制御手段は、予め設定されたスケジュール情報に従って上記記録領域から読み出された所定時間前の映像情報または上記防犯カメラから得られる最新の映像情報を上記表示装置に表示することを特徴とする。
【００１３】
このような構成によれば、所定時間前の映像情報だけでなく、最新の映像情報を確認することができる。
【００１４】
また、本発明の請求項５は、請求項１または２記載の防犯映像管理システムにおいて、上記映像記録装置は、上記防犯カメラによって撮影された映像情報を記録する第１の記録領域と、上記映像情報とは別の表示情報を記録する第２の記録領域とを有し、上記表示制御手段は、予め設定されたスケジュール情報に従って上記第１の記録領域から読み出された所定時間前の映像情報または上記第２の記録領域から読み出された表示情報を上記表示装置に表示することを特徴とする。
【００１５】
このような構成によれば、映像情報とは別の表示情報を表示することで、被撮影者の不快感をさらに軽減できる。
【００１６】
また、本発明の請求項６は、上記請求項５記載の防犯映像管理システムにおいて、上記表示情報には、予め提供された広告情報が含まれることを特徴とする。
【００１７】
このような構成によれば、映像情報とは別の表示情報として広告情報が表示されるので、被撮影者の不快感の軽減と共に広告効果を得ることができる。
【００１８】
また、本発明の請求項７は、上記請求項５記載の防犯映像管理システムにおいて、上記表示情報には、予め提供されたメッセージ情報が含まれることを特徴とする。
【００１９】
このような構成によれば、映像情報とは別の表示情報としてメッセージ情報が表示されるので、被撮影者の不快感の軽減と共にメッセージ表示による通知効果を得ることができる。
【００２０】
また、本発明の請求項８は、上記請求項１または２記載の防犯映像管理システムにおいて、上記映像記録装置に接続された送受信手段と、この送受信手段を介して上記映像記録装置に記録された映像情報を取り出す映像取得手段を備えた携帯端末とをさらに具備したことを特徴とする。
【００２１】
このような構成によれば、携帯端末を用いて映像記録装置に記録された映像情報を簡単に取り出すことができる。
【００２２】
また、本発明の請求項９は、上記請求項８記載の防犯映像管理システムにおいて、上記送受信手段は、上記防止カメラ、上記映像記録装置、上記表示装置のうちの少なくとも１つに設置されていることを特徴とする。
【００２３】
このような構成によれば、送受信手段が設置された場所に携帯端末を持ち込むことにより、携帯端末から送受信手段を介して映像記録装置に接続することができ、その映像記録装置から映像情報などを簡単に取り出すことができる。
【００２４】
また、本発明の請求項１０は、上記請求項８記載の防犯映像管理システムにおいて、上記携帯端末は、上記送受信手段を介して上記映像記録装置の動作条件を設定する動作条件設定手段を備えたことを特徴とする。
【００２５】
このような構成によれば、携帯端末から送受信手段を介して映像記録装置の動作条件を簡単に設定することができる。
【００２６】
また、本発明の請求項１１は、上記請求項８記載の防犯映像管理システムにおいて、上記携帯端末は、上記送受信手段を介して映像情報とは別の表示情報を上記映像記録装置に提供する情報提供手段を備えたことを特徴とする。
【００２７】
このような構成によれば、携帯端末から送受信手段を介して映像記録装置に映像情報とは別の表示情報を提供することで、その表示情報を表示装置に表示することができる。
【発明の効果】
【００２８】
本発明によれば、防犯カメラで監視しているときに、映像記録装置に既に記録された所定時間前の映像情報を監視中の情報として表示する構成としたため、被撮影者に不快感を与えることなく、防犯効果を得ることができる。
【発明を実施するための最良の形態】
【００２９】
以下、図面を参照して本発明の実施形態を説明する。
【００３０】
図１は本発明の一実施形態に係る防犯映像管理システムをエレベータに適用した場合の構成を示す図である。この防犯映像管理システムは、防犯カメラ２、映像記録装置３、表示装置４、携帯端末５から構成される。
【００３１】
防犯カメラ２は、防犯を必要とする場所、例えばエレベータの乗りかご１ａ内の天井などに取り付けられ、その乗りかご１ａ内の様子を所定時間間隔で撮影する。映像記録装置３は、例えばハードディスクレコーダなどからなり、防犯カメラ２によって撮影された映像情報を記録する。表示装置４は、例えば液晶ディスプレイなどからなり、映像記録装置３に記録された映像情報や映像情報とは別の表示情報を表示する。表示情報とは、例えば広告情報やメッセージ情報などである。
【００３２】
携帯端末５は、例えばＰＤＡ（Ｐｅｒｓｏｎａｌ  Ｄｉｇｉｔａｌ  Ａｓｓｉｓｔａｎｔ）などの携帯型のコンピュータからなり、映像記録装置３に記録された映像情報の取り込みや、表示装置４に表示する表示情報を提供する場合などに用いられる。
【００３３】
ここで、本実施形態では、映像記録装置３と表示装置４が防犯カメラ２の設置場所（乗りかご１ａ）とは別の場所に設置されている。例えば、映像記録装置３は監視室１ｂに設置され、表示装置４はエレベータのホール（乗り場）１ｃに設置される。
【００３４】
乗りかご１ａに設置された防犯カメラ２は、例えばＣＣＤ（ｃｈａｒｇｅ  ｃｏｕｐｌｅｄ  ｄｅｖｉｃｅ）、ＣＭＯＳ（ｃｏｍｐｌｅｍｅｎｔａｒｙ  ｍｅｔａｌ  ｏｘｉｄｅ  ｓｅｍｉｃｏｎｄｕｔｏｒ）などの撮像素子を用いた監視用カメラである。この防犯カメラ２は、乗りかご１ａ内の天井に取り付けられるが、的確な映像を撮影する観点から言えば、天井面の比較的ドアから離れた位置、つまり、ドア側を望むような位置に取り付けるのが望ましく、さらには正面のドアと対持するかご内の壁面の比較的高い位置に取り付けても良い。
【００３５】
また、この防犯カメラ２は、そのまま乗りかご１ａ内の天井に直接に取り付け方法もあるが、外部から直接防犯カメラと判断されると防犯上好ましくないので、外側から例えば撮影上支障をきたさない材料の外装体６で防犯カメラ２を覆うことにより、自然な雰囲気の状態を保つように取り付けるのが望ましい。
【００３６】
この防犯カメラ２内または外装体６内には送受信装置７ａが設けられている。この送受信装置７ａは、映像記録装置３と携帯端末５との間の中継装置として用いられるものであり、映像記録装置３に記録された映像情報を携帯端末５に無線または有線にて送信する一方、携帯端末５から無線または有線にて送られてきた制御情報などを受信して映像記録装置３に送る機能を持つ。
【００３７】
この送受信装置７ａと映像記録装置３は通信用ケーブル８で接続され、また、防犯カメラ２と映像記録装置３は撮影用ケーブル９で接続されている。なお、通信用ケーブル８には、映像用ケーブル８ａおよび制御用ケーブル８ｂが含まれる（図３参照）。
【００３８】
図２は防犯カメラ２の内部に送受信装置７ａを設けた場合の構成を示すブロック図である。
【００３９】
図中の２１はカメラ本体であり、レンズや撮像素子などを含む撮影部分である。このカメラ本体２１にて得られた映像情報は、撮影用ケーブル９を介して映像記録装置１３に送られる。また、防犯カメラ２にはＣＰＵ２２が設けられている。このＣＰＵ２２は通信用ケーブル８を介して映像記録装置３と接続されており、この映像記録装置３に記録された映像情報を読み出して送受信装置７ａを介し送信するなどの処理を行う。
【００４０】
図３は本システムにおける映像記録装置３の構成を示すブロック図である。
【００４１】
映像記録装置３は、予め設定される動作条件のもとに防犯カメラ２で撮影された映像情報を記録すると共に、その記録された映像情報を再生して表示装置４に表示する機能を有する。図３に示すように、この映像記録装置３は、処理制御部３１、記憶装置３２、エンコーダ（ＪＰＥＧ）３３、画像処理部３４、デコーダ３５などから構成される。
【００４２】
処理制御部３１は、ＣＰＵからなり、予め設定された動作条件のもとに映像情報の記録・再生の他、携帯端末５から制御用ケーブル８ｂを介して授受される制御情報に従った処理制御を実行する。
【００４３】
記憶装置３２は、例えばハードディスクなどからなる。この記憶装置３２は、防犯カメラ２によって撮影された映像情報をその撮影日時と共に記録するための撮影映像記録領域３２ａと、後述する表示情報を記録するための表示用記録領域３２ｂを有する。エンコーダ（ＪＰＥＧ）３３は、防犯カメラ２によって撮影された映像情報を静止映像に変換して画像処理部３４に与える。画像処理部３４は、このエンコーダ３３によって変換された静止映像を記憶装置３２の撮影映像記録領域３２ａに記録、保存するための処理を行う。デコーダ３５は、記憶装置３２の撮影映像記録領域３２ａに記録された静止映像をデコード処理して元の映像情報に戻す処理を行う。
【００４４】
なお、携帯端末５から映像記録装置３に対して送信する制御情報には、映像情報の要求信号、記録時間などの動作条件を設定するための設定信号、表示装置４に表示する映像情報の選択信号などが含まれる。
【００４５】
映像記録装置３は、映像情報とは別に記憶装置３２の表示用記録領域３２ｂから表示情報を読み出し、これを画像処理手段３４およびデコーダ３５でデコーデイングした後に表示用ケーブル１０を介して表示装置４に送出する機能、携帯端末５から映像用ケーブル８ａを経由してくる表示情報ファイルを取り込み、処理制御部３１の保存処理に従って記憶装置３２の表示用記録領域３２ｂに記録する機能を有する。
【００４６】
映像記録装置３と表示装置４とは表示用ケーブル１０の他、メモリカード用ケーブル１１（通信用ケーブル１１ａ，制御用ケーブル１１ｂ）が接続されている。図１に示すように、この表示装置４にはカード装填用ポート４ａが設けられている。このカード装填用ポート４ａに図示せぬメモリカードを装着することで、記憶装置３２に記録されている情報を取り出すことができる。なお、このカード装填用ポート４ａは表示装置４の近傍に別途設置する構成であっても良い。
【００４７】
ここで、本実施形態において、防犯カメラ２に送受信装置７ａが設けられていると共に、映像記録装置３および表示装置４にも同様の送受信装置７ｂ、７ｃが設けられている。これにより、乗りかご１ａだけでなく、監視室１ｂやホール１ｃであっても、携帯端末５を用いて映像記録装置３を遠隔操作して、映像情報の取り出しや表示情報の提供などを行うことができる。
【００４８】
図４は本システムの携帯端末５の構成を示すブロック図である。
【００４９】
携帯端末５は、映像記録装置３に記録された映像情報を取り出す場合などに用いる。図４に示すように、この携帯端末５は、操作スイッチ５１、演算処理部５２、送受信装置５３、記憶部５４、表示部５５、表示制御部５６などから構成される。
【００５０】
操作スイッチ５１は、各種データの入力や指示を行う操作手段である。この操作スイッチ５１には、映像記録装置３から映像情報を取得し、これを自身の表示部５５に表示するための表示指示用スイッチ５１ａ、その映像情報をメモリカード５８に保存するための保存指示用スイッチ５１ｂと、表示情報を送るための情報送信指示スイッチ５１ｃ、映像記録装置３の動作条件の設定、確認、変更などを行うための動作条件設定用スイッチ５１ｄなどが含まれる。
【００５１】
演算処理部５２は、ＣＰＵからなり、操作スイッチ５１の操作に従って当該携帯端末５の動作を制御する。送受信装置５３は、防犯カメラ２側の送受信装置７ａ、映像記録装置３側の送受信装置７ｂ、表示装置４側の送受信装置７ｃとの間で情報を送受信するための通信手段である。
【００５２】
記憶部５４は、ワークメモリとして用いられ、演算処理部５２で演算処理された映像情報を一時的に記憶する。表示制御部５６は、表示部５５に対する表示制御を行う。表示部５５は、例えば液晶ディスプレイなどからなり、映像記録装置３から取得した映像情報や映像記録装置３の動作条件などを表示する。画像メモリ５７は、映像記録装置３から送受信装置５３を介して取得した映像情報を記憶する。メモリカード５８は、携帯端末５に着脱自在に装着され、映像情報などを保存しておく場合に用いられる。また、このメモリカード５８には、表示装置４に表示させる広告情報やメッセージ情報などの表示情報が所定のファイル形式で記録されている。
【００５３】
なお、この携帯端末５に搭載された送受信装置５３と防犯カメラ２に設けられた送受信装置７ａとの間の通信手段としては、例えば赤外線や無線ＬＡＮ、Ｂｌｕｅｔｏｏｔｈ（登録商標）などが用いられる。上記Ｂｌｕｅｔｏｏｔｈ（登録商標）とは、短距離の無線通信規格に準じた無線インタフェースであり、２．４ＧＨｚのＩＳＭ（Industrial Scientific Medical）帯の無線電波を用いて、およそ１０ｍの無線通信を実現するものである。
【００５４】
また、このような無線伝送の他に、例えば有線による伝送であっても良い。有線による場合には、防犯カメラ２側から導出される通信ケーブル８を乗りかご１ａ内に引き出して接続端子に接続し、携帯端末５の送受信部５３と接続するような構成とする。映像記録装置３に設けられた送受信装置７ｂや、表示装置４に設けられた送受信装置７ｃとの間の通信手段も同様である。
【００５５】
次に、この防犯情報管理システムの動作について説明する。
【００５６】
エレベータの保守員は、保守点検する現場に出向き、携帯端末５を使用して保守点検を行う。なお、顧客顧客（例えばエレベータ管理人）に携帯端末５を渡して、顧客自身が保守点検を行うことでも良い。
【００５７】
まず、保守点検を行う前にセキュリティ検査を行う。すなわち、例えば乗りかご１ａ内で保守員が携帯端末５を操作するものとすると、所定の識別情報を入力した後、送受信装置５３を通じて防犯カメラ２側の送受信装置７ａに送信する。この識別情報は、映像記録装置３に固有の情報であり、例えば映像記録装置３の製造番号あるいは映像記録装置３の設置場所を示すロケーション番号が用いられる。送受信装置７ａで受信された識別情報は、制御用ケーブル８ｂを介して映像記録装置３に送られる。
【００５８】
映像記録装置３は、携帯端末５から送られて来た識別情報と予め記憶部３２などに登録されている識別情報とを照合し、両者が一致した場合に正当な権限を有する者と判断し、携帯端末５に対して使用許可を与える。この使用許可が与えられなかった場合には、携帯端末５を用いて映像記録装置３を制御することはできない。
【００５９】
ここで、携帯端末５の持つ各機能について説明する。
【００６０】
（１）映像情報の取り出し機能
保守員が携帯端末５の操作スイッチ５１の中の表示指示用スイッチ５１ａを押下操作すると、演算制御部５２は、映像情報の要求指示と判断し、送受信装置５３を通じて映像記録装置３に対して映像要求信号を送信する。この映像要求信号は、防犯カメラ２に設けられた送受信装置７ａにて受信され、制御用ケーブル８ｂを介して映像記録装置３に送られる。
【００６１】
映像記録装置３は、映像要求信号を受けることで記憶装置３２の撮影映像記録領域３２ａから映像情報を取り出す。この場合、映像要求信号に撮影日時の指定情報が含まれていれば、その指定された撮影日時の映像情報を取り出すことになる。撮影映像記録領域３２ａから取り出された映像情報は、映像用ケーブル８ａを介して送受信装置７ａに送られる。そして、この送受信装置７ａにより携帯端末５に送信される。携帯端末５は、送受信装置７ａから送られてくる映像情報を送受信装置５３で受信して画像メモリ５７に順次記憶していく。
【００６２】
映像情報の受信後、保守員が表示指示用スイッチ５１ａを再度押下操作すると、演算制御部５２は、映像情報の表示指示と判断し、画像メモリ５７から記憶順序に従って映像情報を読み出し、表示制御部５６を介して表示部５５に表示する。
【００６３】
引き続き、表示指示用スイッチ５１ａに対する３回目の押下操作があったら、演算制御部５２は、表示停止指示と判断し、映像情報の表示動作を停止する。
【００６４】
（２）映像情報の保存機能
保守員が操作スイッチ５１の中の保存指示用スイッチ５１ｂを押下操作すると、演算処理部５２は、映像情報の保存指示と判断し、映像記録装置３から取得して記憶部５４に記憶しておいた映像情報をメモリカード５８に書き込み可能な形式に変換処理して記憶部５４に記憶する。そして、保存指示用スイッチ５１ｂが再度押下操作されたときに、演算処理部５２は、メモリカード５８への書き込み指示と判断し、記憶部５４から当該映像情報を読み出してメモリカード５８に順次書き込んでいく。
【００６５】
引き続き、保存指示用スイッチ５１ｂに対する３回目の押下操作があったら、書き込み停止指示と判断と、メモリカード５８への映像情報の書き込み動作を停止する。
【００６６】
（３）表示情報の送信機能
保守員が操作スイッチ５１の中の情報送信指示スイッチ５１ｃを操作すると、演算処理部５２は、表示情報の送信指示であると判断し、メモリカード５８の中から指定された表示情報を選択的に読み出し、送受信装置５３を通じて送信する。なお、ここで言う表示情報とは、例えば商品の広告情報や日常生活に関するお知らせなどのメッセージ情報などであり、これらの情報は予めメモリカード５８に記録されている。送受信装置５３から送信された表示情報は、防犯カメラ２に設けられた送受信装置７ａにて受信され、映像用ケーブル８ａを介して映像記録装置３に送られる。
【００６７】
映像記録装置３は、この表示情報を記憶装置３２の表示用記録領域３２ｂに記録する。そして、予め設定された動作条件のもとに当該表示情報を表示用記録領域３２ｂから読み出し、表示用ケーブル１０を介して表示装置４に伝送することにより、表示装置４の画面上に表示する。
【００６８】
なお、映像記録装置３では、撮影映像記録領域３２ａに記録されている映像情報を常時あるいは定期的に読み出して表示装置４に表示している。この映像情報と表示情報とを同時に表示する場合には、例えば表示装置４の画面を２分割するなどして、映像情報と表示情報を同時表示可能な形式に加工して表示するものとする。
【００６９】
（４）映像記録装置３の動作条件設定機能
保守員が操作スイッチ５１の中の動作条件設定用スイッチ５１ｄを押下操作すると、演算処理部５２は、動作条件の設定指示であると判断し、送受信装置５３から動作条件要求信号を送信する。この動作条件要求信号は、防犯カメラ２に設けられた送受信装置７ａにて受信され、制御用ケーブル８ｂを通って映像記録装置３２に送られる。
【００７０】
ここで、映像記録装置３２は、動作条件要求信号に基づいて動作条件に関するデータを例えば記憶部３２の所定の領域から取り出し、送受信装置７ａを通じて携帯端末５に送信する。携帯端末５は、この動作条件データを送受信装置５３で受信し、一旦画像メモリ５７に記憶した後、表示部５５に所定の形式で表示する。これによって、保守員は、現在映像記録装置３に設定されている動作条件データを確認でき、必要に応じて操作スイッチ５１を用いて条件変更を行うことができる。
【００７１】
しかる後、動作条件設定用スイッチ５１ｄが再度押下操作されると、演算制御部５２は条件変更入力指示であると判断し、その送受信装置５３を通じて動作条件変更情報を送信する。この動作条件変更情報は、防犯カメラ２に設けられた送受信装置７ａにて受信され、制御用ケーブル８ｂを通って映像記録装置３２に送られる。映像記録装置３２は、この動作条件変更情報を受け取ると、これを現在設定されている動作条件データに上書きすることで動作条件を更新処理する。
【００７２】
次に、本実施形態の動作を説明する。
【００７３】
上記のような構成の防犯情報管理システムにおいて、防犯カメラ２によって乗りかご１ａ内を監視する場合、通常は、その監視映像がリアルタイムで表示装置４に表示される。このため、防犯効果は期待できるもの、被撮影者である一般の乗客に、自分の映像が表示されていることによる不快感を与えてしまうことになる。
【００７４】
そこで、本実施形態では、監視中に映像情報を表示するが、その映像情報はリアルタイムで撮影されたものではなく、所定時間前に既に記録されていたものを表示することで、被撮影者である乗客の不快感を軽減するものである。図５にその様子を示す。
【００７５】
図５は映像記録装置３の映像情報の入力と出力の状態を模式的に示したブロック図である。なお、ここでは図３に示した画像処理部３４などは省略して示してある。
【００７６】
監視中に防犯カメラ２で撮影された映像情報が映像記録装置３に入力されると、その映像情報はエンコーダ３３で所定の形式に変換された後、記憶装置３２の撮影映像記録領域３２ａに順に書き込まれる。一方、この撮影映像記録領域３２ａに既に撮影済みの過去の映像情報が記録されている。そこで、例えば１０分前や１時間前などの過去の映像情報を順に読み出し、これらをデコーダ３５にて順次再生処理しながら表示装置４に出力するものとする。
【００７７】
この場合、どの時期の映像情報を読み出して表示するのかは、携帯端末５を通じて任意に設定可能である。また、過去の映像情報と現在の映像情報を所定時間間隔で交互に表示するようにしても良い。さらに、記憶装置３２の表示用記録領域３２ｂに記録された表示情報を用いて、過去の映像情報と表示情報を所定時間間隔で交互に表示するように良いし、過去の映像情報と現在の映像情報と表示情報の３つの情報を所定の順で表示するようにしても良い。上記表示情報とは、例えば広告情報やメッセージ情報などであり、携帯端末５によって提供される。
【００７８】
このような過去の映像情報を含めた各情報の表示処理は、ＣＰＵである処理制御部３１によって実行される。処理制御部３１は、予め設定されたスケジュール情報３１ａに従って各情報の表示切替え制御を行う。このスケジュール情報３１ａには、撮影映像記録領域３２ａから過去の映像情報を読み出す位置や、その過去の映像情報と現在の映像情報を交互に表示する場合の時間間隔などが含まれている。また、このスケジュール情報３１ａは、携帯端末５を通じて任意に設定可能である。
【００７９】
図６は本システムの表示装置４の画面上に表示される過去の映像情報の一例を示す図である。
【００８０】
記憶装置３２の撮影映像記録領域３２ａには、防犯カメラ２によって撮影された乗りかご１ａ内の映像情報と共に、そのときの撮影日時が記録されている。そこで、過去の映像情報を撮影映像記録領域３２ａから読み出して表示する場合には、この撮影日時も含めて読み出して表示する。図中の４１が乗りかご１ａ内の乗客の映像であり、４２が撮影日時を示す。
【００８１】
このように、撮影日時を含めて過去の映像情報を表示すれば、表示装置４に現在表示されている映像がモニタ映像（非記録の映像）ではなく、実際に記録されている映像情報であることを撮影日時によって知らしめることができる。したがって、単に映像情報を表示する場合に比べて犯罪を抑止効果は高くなるものと考えられる。
【００８２】
以上のように本システムによれば、防犯カメラ２の映像情報を表示する場合に、撮影時間の異なる映像情報つまり過去の映像情報を表示するようにしたことで、乗客に不快感を与えることなく防犯することができる。
【００８３】
また、図１に示したように、防犯カメラ２の設置場所、映像記録装置３の設置場所、そして、表示装置４の設置場所を変えるようにしたことで、以下のような効果が奏せられる。
【００８４】
すなわち、被撮影者である乗客は、防犯を必要とする場所つまり乗りかご１ａに乗り込んだときに防犯カメラ２の設置に気づくことから、監視中であることを知って安心感を得る。また、表示装置４の設置場所つまりホール１ｃでは、ある程度の遅延時間を持って自分の映像情報が表示されるので、あまり強い不快感を覚えずに自分の映像情報を確認することが可能である。つまり、図１のようなシステム構成では、空間的な広がりと、時間的な広がりを持って監視していることを印象付けることができ、乗客が防犯カメラ２で監視されていることの不快感を軽減して防犯効果を得ることができる。
【００８５】
一方、保守側からすれば、防犯カメラ２の設置場所である乗りかご１ａだけでなく、映像記録装置３が設置されている監視室１ｂや、表示装置４が設置されているホール１ｃのいずれかの場所で携帯端末５を用いて保守点検を行うことができ、メンテナンス時間の短縮化と容易性を実現することができる。
【００８６】
また、どの設置場所からでも、携帯端末５を用いて各機器の動作条件の確認や変更を簡単に行うことができ、さらに、映像記録装置３に記録された映像情報の取り出しなどの操作も行うことができる。
【００８７】
また、例えば商品の広告情報や日常生活に関するお知らせなどのメッセージ情報を携帯端末５から映像記録装置３に提供し、これを映像情報と交互に表示するようにすれば、乗客の不快感をさらに軽減できると共に、広告効果やメッセージ表示による通知効果を得ることもできる。
【００８８】
なお、上記実施形態では、防犯カメラ２、映像記録装置３、表示装置４をそれぞれ別の場所に設置したが、例えば防犯カメラ２と映像記録装置３を乗りかご１ａ、表示装置４をホール１ｃに設置するような構成でも良い。
【００８９】
また、これらの機器をすべて乗りかご１ａに設置することでも、撮影中に過去の映像情報を表示するように制御すれば、上記実施形態と同様に乗客の不快感を軽減して防犯効果を得ることができる。
【００９０】
また、防犯カメラ２の設置場所として乗りかご１ａを想定して説明したが、例えばホール１ｃなどでも良い。
【００９１】
さらに、本発明の防犯映像監視システムは、防犯を必要とする場所であれば、エレベータ以外の場所でも適用可能である。
【００９２】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９３】
【図１】本発明の一実施形態に係る防犯映像管理システムをエレベータに適用した場合の構成を示す図。
【図２】同実施形態における防犯映像管理システムに用いられる防犯カメラの内部に送受信装置を設けた場合の構成を示すブロック図。
【図３】同実施形態における防犯映像管理システムに用いられる映像記録装置の構成を示すブロック図。
【図４】同実施形態における防犯映像管理システムに用いられる携帯端末の構成を示すブロック図。
【図５】同実施形態における防犯映像管理システムに用いられる映像記録装置の映像情報の入力と出力の状態を模式的に示したブロック図。
【図６】同実施形態における防犯映像管理システムに用いられる表示装置の画面上に表示される過去の映像情報の一例を示す図。
【符号の説明】
【００９４】
１ａ…乗りかご、１ｂ…監視室、１ｃ…ホール、２…防犯カメラ、３…映像記録装置、４…表示装置、４ａ…カード装填用ポート、５…携帯端末、６…外装体、７ａ〜７ｃ…送受信装置、８…通信用ケーブル、９…撮影用ケーブル、１０…表示要ケーブル、１１…メモリカード用ケーブル、２１…カメラ本体、７ａ…送受信装置、３１…処理制御部、３１ａ…スケジュール情報、３２…記憶装置、３２ａ…撮影映像記録領域、３２ｂ…表示用記録領域、３３…エンコーダ、３４…画像処理部、３５…デコーダ、４１…乗客の映像、４２…撮影日時、５１…操作スイッチ、５１ａ…表示指示用スイッチ、５１ｂ…保存指示用スイッチ、５１ｃ…情報送信指示スイッチ、５１ｄ…動作条件設定用スイッチ、５２…演算処理部、５３…送受信装置、５４…記憶部、５５…表示部、５６…表示制御部、５７…画像メモリ、５８…メモリカード
【図１】
2006148799.tif 000003
【図２】
2006148799.tif 000004
【図３】
2006148799.tif 000005
【図４】
2006148799.tif 000006
【図５】
2006148799.tif 000007
【図６】
2006148799.tif 000008